(57)【要約】      （修正有）【課題】載置物の載置位置の設定の自由度を拡げると共に、載置物の固定を確実にすることができる杭用支持具を提供する。【解決手段】仮設トイレＡに着脱自在に連結される支柱部と、支柱部に一体に設けられた二個の杭支持部を具備し、杭支持部は、杭Ｂが貫通する貫通孔を有し、貫通孔が互いに杭Ｂの軸方向で対面するように、支柱部から杭Ｂの軸に対して径方向に沿って突設されている杭用支持具１とした。【選択図】図１
2015200077.tif 000002
【特許請求の範囲】
【請求項１】
載置物に着脱自在に連結される支柱部と、前記支柱部に一体に設けられた二個の杭支持部とを具備し、前記杭支持部は、杭が貫通する貫通孔を有し、前記貫通孔が互いに前記杭の軸方向で対面するように、前記支柱部から前記杭の軸に対して径方向に沿って突設されている杭用支持具。
【請求項２】
前記杭支持部の間に配置されると共に、前記杭の外周に取り付けられる杭保持部を備え、前記杭保持部は、前記杭に対して前記杭保持部を着脱自在に固定する固定部と、杭の軸方向と対向する前記杭保持部の両端部に、前記貫通孔の直径を超え、前記貫通孔周りの前記杭支持部に接触する接触部とが設けられている請求項１記載の杭用支持具。
【請求項３】
前記杭保持部同士の間隔が、前記接触部が常に前記貫通孔周りの前記杭支持部に接触する間隔として設定されている請求項２記載の杭用支持具。
【請求項４】
前記杭用支持具は、前記支柱部を前記載置物に設けられた環状部に挿入することで、前記載置物に連結されるものであって、前記支柱部は、前記環状部に挿入可能な大きさであると共に、前記環状部内で移動自在な大きさに形成され、前記杭保持部は、前記環状部に挿入可能な大きさであると共に、前記支柱部が前記環状部に挿入された状態で、前記貫通孔の全部が前記環状部の最外縁の外側に位置するように設けられている請求項２又は３いずれか１項記載の杭用支持具。
【発明の詳細な説明】
【技術分野】
【０００１】
本発明は、地面に載置され、移動可能な仮設トイレ、仮設家屋、仮設倉庫等の載置物を地面に固定する杭用の支持具に関する。
【背景技術】
【０００２】
地面に載置され、杭によって、移動可能な仮設トイレ、仮設家屋、仮設倉庫等の載置物を地面に固定する構造として、下記特許文献１に記載されているように、載置物の支柱の側面に直接設けられた環状体に杭を貫通させて地中に打ち込むことで、載置物を固定する構造が知られている。
【０００３】
また、下記特許文献２に記載されているように、載置物の側面に設けられたフックにロープの一端を掛け、ロープを張った状態で他端を地面に打ち込まれた杭に掛けることで載置物を固定する構造も知られている。
【先行技術文献】
【特許文献】
【０００４】
【特許文献１】特開２００６−７０４５７号公報
【特許文献２】実開平６−６６２２号公報
【発明の概要】
【発明が解決しようとする課題】
【０００５】
特許文献１に記載の従来構造は、載置物の支柱に固定された環状体に杭を貫通して地中に打ち込むものであるため、杭を打ち込む位置が環状体直下の一箇所に制限される。
【０００６】
このため、載置物が載置される地面の状態によって、環状体直下に杭を打ち込みにくい場合があり、現状では、載置物の載置位置をずらすことや、杭の打ち込みが不完全な状態とすることで対応している。
【０００７】
すなわち、特許文献１に記載の従来構造は、載置物の載置位置がある程度制限される上に、不完全な杭の打ち込み状態によって、載置物の確実な固定ができないという問題があった。
【０００８】
一方、特許文献２に記載の従来構造は、ロープの長さ等を調整して打ち込まれた杭に掛けることができるため、特許文献１に記載の従来構造に比べて、杭を打ち込む位置の設定の自由度が広いが、風や地震等による載置物の振動でロープが緩み、これによって、載置物の固定が不安定となる上に、張ったロープが歩行者の歩行の障害となってしまうという問題があった。
【０００９】
本発明は、このような問題に対処することを課題の一例とするものである。すなわち、載置物の載置位置の設定の自由度を拡げることができること、載置物の固定を確実にできること、歩行者の歩行の障害にならないように載置物の固定ができること、等が本発明の目的である。
【課題を解決するための手段】
【００１０】
このような目的を達成するために、本発明による杭用支持具は、以下の構成を少なくとも具備するものである。
【００１１】
載置物に着脱自在に連結される支柱部と、前記支柱部に一体に設けられた二個の杭支持部とを具備し、前記杭支持部は、杭が貫通する貫通孔を有し、前記貫通孔が互いに前記杭の軸方向で対面するように、前記支柱部から前記杭の軸に対して径方向に沿って突設されている杭用支持具である。
【発明の効果】
【００１２】
このような特徴を有することで本発明は、以下の効果を奏する。すなわち、載置物の載置位置の設定の自由度を拡げることができると共に、載置物の固定を確実にでき、しかも、歩行者の歩行の障害にならないように載置物の固定ができる。
【図面の簡単な説明】
【００１３】
【図１】本発明の第一実施形態の杭用支持具を仮設トイレに使用した状態を示す使用状態図であり、（ａ）は正面図、（ｂ）は平面図である。
【図２】図１（ａ）の要部拡大斜視図である。
【図３】図２の分解図である。
【図４】図２の（４）-（４）線断面図である。
【図５】図２の（５）-（５）線断面図である。
【図６】本発明の第二実施形態の杭用支持具を仮設トイレに使用した状態を示す要部拡大断面図である。
【発明を実施するための形態】
【００１４】
本発明の杭用支持具は、前記杭支持部の間に配置されると共に、前記杭の外周に取り付けられる杭保持部を備え、前記杭保持部は、前記杭に対して前記杭保持部を着脱自在に固定する固定部と、杭の軸方向と対向する前記杭保持部の両端部に、前記貫通孔の直径を超え、前記貫通孔周りの前記杭支持部に接触する接触部とが設けられていることが好ましい。
【００１５】
また、前記杭支持部同士の間隔が、前記接触部が常に前記貫通孔周りの前記杭支持部に接触する間隔として設定されていることが好ましい。
【００１６】
また、前記杭用支持具は、前記支柱部を前記載置物に設けられた環状部に挿入することで、前記載置物に連結されるものであって、前記支柱部は、前記環状部に挿入可能な大きさであると共に、前記環状部内で移動自在な大きさに形成され、前記杭保持部は、前記環状部に挿入可能な大きさであると共に、前記支柱部が前記環状体に挿入された状態で、前記貫通孔の全部が前記環状体の最外縁の外側に位置するように設けられていることが好ましい。
【００１７】
ここで、載置物とは、地面に載置されて風等で倒れやすいものであり、移動可能な仮設トイレ、仮設家屋、仮設倉庫等が挙げられる。
【００１８】
以下、本発明に係る第一実施形態の杭用支持具１を図１〜図５に基づいて説明する。以下で例示する載置物Ａは、下方の四隅に、環状部Ａ１を備えた仮設トイレであり、この環状部Ａ１を利用して杭用支持具１が連結されると共に、この杭用支持具１に杭Ｂが支持されながら地面Ｇに打ち込まれて載置状態が固定されるようにされたものである。以下、載置物Ａを仮設トイレＡとして説明する。尚、以下で説明する各実施形態は、本発明を限定するものではない。
【００１９】
ここで、仮設トイレＡにおける環状部Ａ１は、仮設トイレＡを運搬するときに手で持ち上げるためのハンドルであり、具体的には、仮設トイレＡの最下部に配置され、地面Ｇに載置されるタンク部Ａ２の四隅に、開口部Ａ１０が地面Ｇと杭Ｂの軸方向の上方で対面するように形成されている。
【００２０】
尚、以下では、地面Ｇ側を下方とし、地面Ｇに載置される仮設トイレＡ側を上方とする。また、上下方向と直交する方向を左右方向とする。この上下方向は、杭Ｂの軸方向であり、下方が杭Ｂが打ち込まれる方向であり、上方が杭Ｂが引き抜かれる方向である。
【００２１】
杭用支持具１は、環状部Ａ１の開口部Ａ１０に挿入される支柱部２と、この支柱部２の上下端から左右の一方向に直交して一体に突設された杭支持部３、４と具備したコ形状に形成されている。
【００２２】
支柱部２と杭支持部３、４は、帯状の金属板をコ形状に折り曲げることで形成されており、杭支持部３、４の先端には、杭Ｂが貫通する貫通孔３０、４０が形成されている。
【００２３】
貫通孔３０、４０の直径は、杭Ｂの外径と同径以上であれば杭Ｂを貫通させることができるが、杭Ｂをしっかりと支持するには、杭Ｂの外径と適合し、ガタツキなく貫通できる径とすることが好ましい。
【００２４】
支柱部２は、長手方向を上下方向に沿わせて開口部Ａ１０に挿入され、下側の杭支持部４が地面Ｇに設置された状態で、上側の杭支持部３の内側面３１が環状部Ａ１の外表面Ａ１１と接触する長さにされている。
【００２５】
杭支持部３、４は、支柱部２が挿入された状態で、貫通孔３０、４０が開口部Ａ１０と上下方向で重ならず、環状部Ａ１の最外縁の外側に位置させることができる長さとして形成されている。
【００２６】
杭支持部３、４の先端には、貫通孔３０、４０が開孔された大径部３Ａ、４Ａが一体形成されており、貫通孔３０、４０が互いに上下方向で、杭Ｂの軸と同軸となるように対面するように開孔されている。
【００２７】
支柱部２、大径部３Ａ、４Ａを含む杭支持部３、４は、開口部Ａ１０に対して抜き差し自在、且つ開口部Ａ１０内を移動自在となる厚み、及び幅にされており、これによって、杭用支持具１を環状部Ａ１に対して着脱ができると共に、杭支持部３、４の突出方向を開口部Ａ１０の範囲内で自由に設定することができるようになっている（図２参照）。
【００２８】
また、杭支持部３、４の間に配置されると共に、杭Ｂの外周に取り付けられる杭保持部５を備えている。
【００２９】
杭保持部５は、金属製のものであり、杭Ｂに対して、杭保持部５を着脱自在に固定する固定部５０と、上下の大径部３Ａ、４Ａの内側面３０Ａ、４０Ａと上下方向で対向する杭保持部５の両端部に、貫通孔３０、４０の直径を超え、大径部３Ａ、４Ａの貫通孔３０、４０周りの内側面３０Ａ、４０Ａに接触する接触部５１が設けられている。
【００３０】
固定部５０は、杭Ｂに対して一半部側、及び他半部側から全周を挟むように固定するクランプ状を呈し、固定した状態で大径部３Ａ、４Ａの内側面３０Ａ、４０Ａと対面する端部が、貫通孔３０、４０よりも大径となるものであって、この固定部５０の端部が接触部５１として確保されている。
【００３１】
この固定部５０は、杭Ｂの軸に沿う回転軸５００を中心に開閉され、閉じた状態で杭Ｂの全周を挟むと共に、ボルト・ナット５０Ａで締め付けることによって杭Ｂに固定することができ、ボルト・ナット５０Ａを緩めることによって杭Ｂから取り外すことができるようになっている。
【００３２】
また、固定部５０は、上下方向に二個有し、上下の接触部５１間の距離が、杭支持部３、４の内側面３０Ａ、４０Ａ間の距離と同じとなるように、固定部５０の側面同士が連結板５２によって連結されており、杭Ｂに固定した状態で上下の接触部５１が常に杭支持部３、４の内側面３０Ａ、４０Ａ接触するようにされている。
【００３３】
この杭保持部５は、杭Ｂが引抜き方向への力が作用したときに、杭Ｂに固定された上側の固定部５０の接触部５１が、大径部３Ａの内側面３０Ａへの接触により抜け止めがされているため、杭Ｂの引抜きを阻止することができ、これによって、杭Ｂの打ち込み状態を保持することができる。
【００３４】
尚、固定部５０は、例示した二個に限定するものではなく、一個、又は三個以上としてもよい。一個の固定部５０である場合には、上下の接触部５１が常に杭支持部３、４の内側面３０Ａ、４０Ａに接触する長さとする（図示せず）。
【００３５】
また、二個の固定部５０を連結する連結板５２を備えないものとしてもよく、この場合、夫々の固定部５０の接触部５１が内側面３０Ａ、４０Ａに接触するように、夫々の固定部５０を配置する、一個の固定部５０とした場合には、固定部５０の上側の接触部５１を内側面３０Ａに接触させることでも、杭Ｂの抜け止めを行うことができる。
【００３６】
また、杭用支持具１は、環状部Ａ１の配置位置に応じた上下方向の長さのものを用意し、固定部５０は、杭用支持具１の上下方向の長さに応じた個数や長さのものを用意するとよい（図示せず）。
【００３７】
また、支柱部２を、その上下方向の長さを調節できるように伸縮自在とするようにしてもよい。この場合、調節した支柱部２の長さを確実に保持できるような保持手段（例えば、ボルト・ナット）を用いる（図示せず）。
【００３８】
次に、杭用支持具１を用いた杭Ｂの支持工程を説明すると、先ず、杭用支持具１を環状部Ａ１に挿入し、支柱部２の杭支持部３、４側の側面を開口部Ａ１０の縁に接触させると共に、杭支持部４を地面Ｇに載置して立てた状態にしておく。
【００３９】
この工程では、地面Ｇの状態を確認し、最も杭Ｂを打ち込みやすい位置に貫通孔３０、４０がくるように、開口部Ａ１０内で杭用支持具１を移動させることができる。
【００４０】
次に、杭支持部３側の貫通孔３０から杭支持部４側の貫通孔４０に杭Ｂを貫通させると共に、地面Ｇに打ち込み、次に、杭保持部５を、杭支持部３、４の間の杭Ｂに取付けて杭Ｂの抜け止めを施す。
【００４１】
この作業を、全ての環状部Ａ１に対して行うことによって、仮設トイレＡの載置状態を固定することができる。
【００４２】
杭Ｂを引き抜く場合には、杭保持部５を取り外し、取り外し後に、引き抜き装置等を用いて杭Ｂを引き抜けばよい。
【００４３】
このような杭用支持具１によると、環状部Ａ１に着脱自在に挿入することができると共に、環状部Ａ１内を開口部Ａ１０の範囲内で自由に移動することができるので、地面Ｇの状態に合わせて、貫通孔４０を杭Ｂの打ち込みに最適な位置に設定することができる。
【００４４】
すなわち、仮設トイレＡの設置位置を変更することなく、杭Ｂの打ち込みを確実に行うことができ、これによって、仮設トイレＡの設置状態の保持の確実性を高めることができる。
【００４５】
しかも、仮設トイレＡの既存の環状部Ａ１に連結ができるため、仮設トイレＡの使用者やこの仮設トイレＡの近辺を歩行する歩行者の邪魔になることを防止できる。
【００４６】
また、杭保持部５を杭Ｂに固定することによって、杭Ｂの抜け止めができるので、杭Ｂの打ち込み状態の保持の確実性を高め、これによって、仮設トイレＡの設置状態の保持の確実性を高めることができる。
【００４７】
杭保持部５は、杭Ｂに着脱自在に固定できると共に、固定された状態で、上側の固定部５０の接触部５１が、大径部３Ａの内側面３０Ａに接触して抜け止めできるものであれば、例示した構造に限らない。
【００４８】
杭保持部５の他の例として、図６に示すように、外形が貫通孔３０、４０の径よりも大径とすると共に、内径を杭Ｂの外径と同等以上とする筒体５４と、この筒体５２の側面から貫通ねじ込みされるボルト５３とで固定部５０を構成したものが挙げられる。
【００４９】
この固定部５０は、筒体５２の外側からボルト５３を貫通ねじ込みして、杭Ｂの側面を押圧するように接触させると共に、このボルト５３の押圧によって、ボルト５３が接触する杭Ｂの側面と反対側の側面を筒体５４の内周面に押し付けることで、杭Ｂに固定することができる。
【００５０】
このような杭保持部５は、筒体５４の軸方向の長さを杭支持部３、４の内側面３０Ａ、４０Ａ間の距離と同じとして形成し、筒体５２の両端部を接触部５１として確保することで、杭Ｂの抜け止めができるようになっている。
【００５１】
例示した杭保持部５は、接触部５１間の長さを杭支持部３、４の内側面３０Ａ、４０Ａ間の距離と同じとしたものであるが、杭支持部３、４の内側面３０Ａ、４０Ａ間の距離未満としてもよく、これによっても、杭Ｂに引抜き方向に力が作用して杭Ｂが上方にずれたときに、接触部５１が内側面３０Ａに接触することで、杭Ｂの引抜きを阻止することができる（図示せず）。
【００５２】
杭保持部５は、杭Ｂに着脱自在に固定できる固定部５０と、少なくとも、杭支持部３の内側面３０Ａに接触する接触部５１を備えたものであれば、例示した杭保持部５以外の構造のものとしてもよい。
【００５３】
杭保持部５を用いずに杭用支持具１のみで杭Ｂを支持することも可能であり、杭用支持具１のみで杭Ｂを支持する場合でも、支柱部２を移動させて、杭Ｂの打ち込みが最適な位置に貫通孔４０がくるようにすることで、仮設トイレＡの設置位置を変更することなく、杭Ｂの打ち込みを確実に行うことができ、これによって、仮設トイレＡの設置状態の保持の確実性を高めることができる（図示せず）。
【００５４】
例示した杭用支持具１は、環状部Ａ１に挿入して連結する構成としたものであるが、支柱部２にねじ孔を形成し、環状部Ａ１が設けられていない仮設トイレＡの側面の任意の部位に支柱部２を沿わせて、ねじ孔からボルトを側面に貫通締め付けすることで、仮設トイレＡに固定する構造としてもよい（図示せず）。
【００５５】
この杭用支持具１では、仮設トイレＡの機能に影響を与えず、ボルトによる固定が確実にできる場所に固定するとよく、例えば、仮設トイレＡの柱や土台等が挙げられる。
【００５６】
このような杭用支持具１においても、仮設トイレＡの側面に対して、杭Ｂの打ち込みやすい位置に貫通孔４０がくるように固定することで、仮設トイレＡの設置状態の保持の確実性を高めることができる。
【００５７】
以上説明したとおり、杭用支持具１は、仮設トイレＡの載置位置の設定の自由度を拡げることができると共に、仮設トイレＡの固定を確実にでき、しかも、歩行者の歩行の障害にならないように仮設トイレＡの固定ができる。
【符号の説明】
【００５８】
１：杭用支持具
２：支柱部
３：杭支持部
４：杭支持部
５：杭保持部
３０：貫通孔
４０：貫通孔
５０：固定部
５１：接触部
Ａ：仮設トイレ（載置物）
Ｂ：杭
Ｇ：地面
Ａ１：環状部
【図１】
2015200077.tif 000003
【図２】
2015200077.tif 000004
【図３】
2015200077.tif 000005
【図４】
2015200077.tif 000006
【図５】
2015200077.tif 000007
【図６】
2015200077.tif 000008